(57)【特許請求の範囲】
【請求項１】
データ駆動回路と液晶パネル上のデータラインとの間に接続され、前記データ駆動回路の制御信号によりデータ駆動回路の出力ラインの中のいずれか１つから出力される赤、青及び緑の中のいずれか１つの色データ信号を液晶パネル上の複数個のデータラインに所定の順序で分配する複数個のディマルチプレクサを有する液晶表示パネルの駆動方法において、
前記データ駆動回路から各ディマルチプレクサに赤、青及び緑のうち、少なくとも一組の同一色の色データ信号を連続的に供給する段階と、
前記ディマルチプレクサにおいて、同一色が隣接しないように、かつ、色データ信号を所定の順序で前記複数個のデータラインのそれぞれに供給するように制御信号を供給する段階と、
を含むことを特徴とする液晶表示パネルの駆動方法。
【請求項２】
前記の色データ信号は赤色、緑色、青色信号の順序で前記液晶パネル上のデータラインに供給されることを特徴とする請求項１記載の液晶表示装置の駆動方法。
【請求項３】
前記の色データ信号は緑色、青色、赤色信号の順序で前記液晶パネル上のデータラインに供給されることを特徴とする請求項１記載の液晶表示装置の駆動方法。
【請求項４】
前記の色データ信号は青色、赤色、緑色信号の順序で前記液晶パネル上のデータラインに供給されることを特徴とする請求項１記載の液晶表示装置の駆動方法。
【請求項５】
前記データ駆動回路から各ディマルチプレクサへの供給段階はドット反転方式の順序によって配列される段階を含むことを特徴とする請求項１記載の液晶表示パネルの駆動方法。
【請求項６】
前記ディマルチプレクサが前記液晶パネル上の少なくとも５つ以上のデータラインに接続されることを特徴とする請求項１記載の液晶表示装置の駆動方法。
【請求項７】
前記ディマルチプレクサが奇数個のデータラインに接続されたことを特徴とする請求項１記載の液晶表示装置の駆動方法。
【請求項８】
前記ディマルチプレクサが６の整数倍のデータラインに接続されたことを特徴とする請求項１記載の液晶表示装置の駆動方法。
【発明の詳細な説明】
【０００１】
【発明の属する技術分野】
本発明は薄膜トランジスタ（Thin Film Transistor；以下″ＴＦＴ″という）等をスイッチマトリックス（Switch Matrix）で利用する液晶表示装置に関し、特に画質が向上されるようにデータ信号の引加順序を最適化させた液晶表示装置の駆動方法に関する。
【０００２】
【従来の技術】
通常の液晶表示装置（Liquid Crystal Display；以下″ＬＣＤ″という）はゲートラインとデータライン間の交差部に配列された画素マトリックスを利用してビデオ信号に対応する画像を表示する。このような各画素はビデオ信号によって光透過量を調節する液晶セルとデータラインから液晶セルに供給されるビデオ信号を切り換えるためのＴＦＴで構成される。また、ＬＣＤにはゲートライン及びデータラインを駆動するためのゲート及びデータ駆動集積回路（Driving Integrated Circuit；以下″Ｄ−ＩＣ″という）等が設けられている。この場合、ＬＣＤの回路構成を簡素化させるようにディマルチプレクサ（Demultiplexor；以下″ＤＥＭＵＸ″という）を利用してデータＤ−ＩＣの所要量を減らす方法が提示された。この方法によると、画素マトリックスとデータＤ−ＩＣの間にはＤＥＭＵＸが接続される。ＤＥＭＵＸはデータＤ−ＩＣの任意の１つの出力ラインに複数個のデータラインを接続させることでデータＤ−ＩＣの所要量を減らす。一例を挙げれば、データラインの数がｎ個、ＤＥＭＵＸに接続されるデータラインの数がｍ個である場合データＤ−ＩＣの出力ライン数（ｋ）は″ｎ/ｍ″となる。即ち、データＤ−ＩＣの所要量を″１/ｍ個″に減らすことができる。この時、Ｄ−ＩＣからは１水平周期の間にｍ回の出力が発せられ、これらの出力はＤＥＭＵＸによりそれぞれデータラインに引加される。このような方式は比較的に移動度が高いポリシリコン（Poly Si）ＴＦＴを使用してＬＣＤを製作するときＤＥＭＵＸをピクセルアレイのような基板に形成することが可能であるのでデータＤ−ＩＣの出力ライン数を減らすことができる。また、ＬＣＤに使用されるＤＥＭＵＸは複数個のデータラインをデータＤ−ＩＣの１つの出力ラインに順次接続させるために、受容できるデータラインの数に該当する制御信号を要求する。以下、図１乃至図２を参照しつつ従来のＬＣＤ駆動方法を概観する。
【０００３】
図１を参照すると、データＤ−ＩＣ（１２）と液晶パネル（１０）上のｎ個のデータライン（ＤＬ１乃至ＤＬｎ）の間に接続された第１乃至第ｋディマルチプレクサ（ＤＥＭＵＸ１乃至ＤＥＭＵＸｋ）を含む従来のＬＣＤ素子が図示されている。データＤ−ＩＣチップ（１２）は第１乃至第ｋディマルチプレクサ（ＤＥＭＵＸ１乃至ＤＥＭＵＸｋ）に対応するｋ個の出力ラインとを具備する。ｋ個のｋディマルチプレクサ（ＤＥＭＵＸ１乃至ＤＥＭＵＸｋ）それぞれは液晶パネル（１０）上のデータライン（ＤＬ１乃至ＤＬｎ）に接続された５つの出力ラインとを具備して、５つの出力ラインそれぞれには第１乃至第５制御信号（ＣＳ１乃至ＣＳ５）が引加される。第１乃至第５制御信号（ＣＳ１乃至ＣＳ５）は図２に図示したように１水平同期期間（即ち、１Ｈ）の間順次ハイロジック状態でイネーブル（enable）される。また、従来のＬＣＤ素子は液晶パネル（１０）上のｍ個のゲートライン（ＧＬ１乃至ＧＬｍ）を駆動するためのゲートＤ−ＩＣチップ（１４）とを具備する。ゲートＤ−ＩＣチップ（１４）は１水平同期期間、ｍ個のゲートライン（ＧＬ１乃至ＧＬｍ）にゲートスキャニング信号（ＧＳＳ）を順次供給する。ゲートスキャニング信号（ＧＳＳ）は図２に図示したように１水平同期期間、ハイ状態を維持する。１水平同期期間にｍ個のゲートラインの中のいずれかの１つが駆動される時、データＤ−ＩＣチップ（１２）は第１乃至第５制御信号（ＣＳ１乃至ＣＳ５）に同期してｋ個の色データ信号を含む５つのデータ信号グループをｋ個のディマルチプレクサ（ＤＥＭＵＸ１乃至ＤＥＭＵＸｋ）に順次供給する。それぞれのディマルチプレクサ（ＤＥＭＵＸ１乃至ＤＥＭＵＸｋ）は第１乃至第５制御信号（ＣＳ１乃至ＣＳ５）に応答してデータＤ−ＩＣチップ（１２）の出力ラインから入力される５つの色信号を５つのデータラインに供給する。詳細に説明すると、第１ディマルチプレクサ（ＤＥＭＵＸ１）は図２に図示されたようにデータＤ−ＩＣチップ（１２）からの５つの色データ信号（Ｒ１、Ｇ１、Ｂ１、Ｒ２、Ｇ２）を第１乃至第５（ＤＬ１乃至ＤＬ５）に順次伝送する。同様に、第２ディマルチプレクサは図２に図示されたようにデータＤ−ＩＣチップ（１２）からの５つの色データ信号（Ｂ２、Ｒ３、Ｇ３、Ｂ３、Ｒ４）を液晶パネル（１０）上の第６乃至第１０（ＤＬ６乃至ＤＬ１０）に順次伝送する。このために、各ディマルチプレクサ（ＤＥＭＵＸ１乃至ＤＥＭＵＸｋ）は制御信号（ＣＳ１乃至ＣＳ５）に応答して５つのトランジスタ（ＭＮ１乃至ＭＮ５）を含む。
【０００４】
前述した従来のＬＣＤ駆動方法ではデータライン（ＤＬ１乃至ＤＬｎ）の中のいずれかの１つライン上のデータ信号が隣接したデータラインの間のカップリングキャパシティに起因して隣接したデータラインに供給される異なるデータ信号によって歪曲される。実際に、第１データ信号ライン（ＤＬ１）は図３Ａに図示されたように第１制御信号（ＣＳ１）がハイ状態である期間に第１ディマルチプレクサ（ＤＥＭＵＸ１）の第１ＭＯＳトランジスタ（ＭＮ１）からの第１赤色データ信号（Ｒ１）の供給を受ける。また、第１データライン（ＤＬ１）は第１制御信号（ＣＳ１）がロー状態である期間にフローティング状態になる。その次、第２データライン（ＤＬ２）は第１制御信号（ＣＳ１）次にイネーブルされる第２制御信号（ＣＳ２）がハイ状態である期間に第１ディマルチプレクサ（ＤＥＭＵＸ１）の第２ＭＯＳトランジスタ（ＭＮ２）からの第１緑色データ信号（Ｇ１）を入力する。第１及び第２データライン（ＤＬ１、ＤＬ２）の間のカップリングキャパシティ（Ｃｃ）によって第１データライン（ＤＬ１）上の１つの画素に充電された第１赤色データ信号（Ｒ１）は第２データライン（ＤＬ２）上の第１緑色データ信号（Ｇ１）によって変化する。結果的に液晶パネル（１０）に表示される画像は歪曲される。
【０００５】
このような歪曲は液晶パネル（１０）がドット反転方式で駆動される場合には一層問題となる。詳細に説明すると、第１データライン（ＤＬ１）上の電圧信号（ＤＬＳ１）は図３Ｂに図示されたように第１制御信号（ＣＳ１）がハイ状態である期間、ポジティブ（positive）電圧レベルの第１赤色制御信号（Ｒ１）によって増加されて好ましくない電圧レベルに減少される。これは第２制御信号（ＣＳ２）のライジングエッジでカップリングキャパシティ（Ｃｃ）を通して第２データライン（ＤＬ２）から第１データライン（ＤＬ１）に供給されるネガティブ電圧レベルの第１緑色データ信号（Ｇ１）に起因する。また、第１データライン（ＤＬ１）上の電圧信号（ＤＬＳ１）は第５制御信号（ＣＳ５）のライジングエッジによって好ましくない電圧レベルに一層減少する。第２データライン（ＤＬ２）上の電圧信号（ＤＬＳ２）は３Ｂに図示されたように第２制御信号（ＣＳ２）のポーリングエッジ（または図示しない）第３制御信号（ＣＳ３）のライジングエッジで定められない電圧レベルでもう一度上昇する。これは第３制御信号（ＣＳ３）のライジングでカップリングキャパシティを通して第２データライン（ＤＬ２）に供給される第３データライン（ＤＬ３）上のポジティブ電圧レベルの第１青色データ信号（Ｂ１）に起因する。従って、第１乃至第ｋディマルチプレクサ（ＤＥＭＵＸ１乃至ＤＥＭＵＸｋ）の第１出力ラインに接続されたデータライン上の画素は第１乃至第ｋディマルチプレクサ（ＤＥＭＵＸ１乃至ＤＥＭＵＸｋ）の第２乃至第５出力ラインに接続されたデータライン上の画素より低いか高い電圧信号の供給を受けるようになる。これによって、所定の画素は異なる画素等に比べて相対的に明るさが劣るようになる。結果的に、液晶パネル（１０）上に表示される画像は多く歪曲されるようになる。
【０００６】
実際に、従来のＬＣＤ駆動方法では同一の色データ信号であってもその引加順序によって互いに明るさが異なる。結果的に、ストライプ（stripe）を含む歪曲された画像が液晶パネル上に表示されるようになる。例えば、従来のＬＣＤ駆動方法によって液晶パネルがドット反転方式で駆動される場合液晶パネル（１０）上に表示される画像にはストライプが現れるようになる。このストライプは図４に図示されたように同一の色データ信号が異なるように供給されてデータライン上の画素に充電された電圧信号の絶対値に起因する。図４はｉ及びｉ＋１番目ゲートライン（ＧＬｉ、ＧＬｉ＋１）がスキャニング信号（ＧＳＳｉ、ＧＳＳｉ＋１）によって順次駆動されるとき第２ディマルチプレクサ（ＤＥＭＵＸ２）に接続された第６、７、９、１０データライン（ＤＬ６、ＤＬ７、ＤＬ９、ＤＬ１０）上の電圧波形を図示するものである。この場合、第２ディマルチプレクサ（ＤＥＭＵＸ２）は第２青色データ信号（Ｂ２）、第３赤色、緑色及び青色データ信号（Ｒ３、Ｇ３、Ｂ３）、第４緑データ信号（Ｒ４）を順次供給される。第２及び第３青色データ信号（Ｂ２、Ｂ３）それぞれは同一の絶対電圧値と相反する極性を有する。第３及び第４赤色データ信号（Ｒ３、Ｒ４）それぞれも同一の絶対電圧値と相反する極性を有する。共に、第２青色データ信号（Ｂ２）、第３赤色、緑色、青色データ信号（Ｒ３、Ｇ３、Ｂ３）及び第４赤色データ信号（Ｒ４）は交番的に極性が反転する。第６データライン（ＤＬ６）は第１制御信号（ＣＳ１）がハイ状態である期間、第２ディマルチプレクサ（ＤＥＭＵＸ２）の第１ＭＯＳトランジスタ（ＭＮ１）からの第２青色データ信号（Ｂ２）を充電する。第６データライン（ＤＬ６）は第１制御信号（ＣＳ１）がロー状態になるときフローティング状態になる必要がある。第６データライン（ＤＬ６）は第２制御信号（ＣＳ２）のライジングエッジで第７データライン（ＤＬ７）上のネガティブ電圧レベルの第３赤色データ信号（Ｒ３）によってカップリングキャパシティ（Ｃｃ）を通して隣接したデータライン（ＤＬ７）へ充電された電圧信号（ＤＬＳ６）を放電する。また、第６データライン（ＤＬ６）は第５制御信号（ＣＳ５）のライジングエッジで図示しないネガティブ電圧レベルの第２緑色データ信号（Ｇ２）によってカップリングキャパシティ（Ｃｃ）を通して第５データライン（ＤＬ５）へ充電された電圧信号（ＤＬＳ６）をまた放電する。一方、第９データライン（ＤＬ９）は、第３青色データ信号（Ｂ３）を充電した後、一回だけ放電する。詳細に説明すると、第９データライン（ＤＬ９）は第４制御信号（ＣＳ４）がハイ状態である期間、第２ディマルチプレクサ（ＤＥＭＵＸ２）の第４ＭＯＳトランジスタ（ＭＮ４）からの第３青色データ信号（Ｂ３）を充電する。そして、第９データライン（ＤＬ９）は第５制御信号（ＣＳ５）のライジングエッジでポジティブ電圧レベルの第４赤色データ信号（Ｒ４）に起因してカップリングキャパシティ（Ｃｃ）を通して第１０データライン（ＤＬ１０）へ充電された電圧信号（ＤＬＳ９）を放電する。上述したように、第６データライン（ＤＬ６）は第９データライン（ＤＬ９）よりもう一度放電することによって同一のデータ電圧が供給されるとｉ番目スキャニング信号（ＧＳＳｉ）のポーリングエッジ（即ち、データ信号のサンプリング始点）で第６データライン（ＤＬ６）上の電圧信号（ＤＬＳ６）が第９データライン（ＤＬ９）上の電圧信号（ＤＬＳ９）より低い絶対電圧値を有する。また、第７データライン（ＤＬ７）は第１０データライン（ＤＬ１０）よりもう一度放電する。実際に、第７データライン（ＤＬ７）は第２制御信号（ＣＳ２）がハイ状態である期間、第２ディマルチプレクサ（ＤＥＭＵＸ２）の第２ＭＯＳトランジスタ（ＭＮ２）からの第３赤色データ信号（Ｒ３）を充電する。そして、第７データライン（ＤＬ７）は第３制御信号（ＣＳ３）のライジングエッジでポジティブ電圧レベルの第３緑色データ信号（Ｇ３）に起因して第７及び第８データライン（ＤＬ７、ＤＬ８）の間のカップリングキャパシティ（Ｃｃ）を通して第８データライン（ＤＬ８）へ充電された電圧信号を放電する。このように、第７データライン（ＤＬ７）はｉ番目スキャニング信号（ＧＳＳｉ）のポーリングエッジで第３赤色データ信号（Ｒ３）より低い絶対値を有する電圧信号（ＤＬＳ７）を供給する。第１０データライン（ＤＬ１０）は第５制御信号（ＣＳ５）がハイ状態である期間、第２ディマルチプレクサ（ＤＥＭＵＸ２）の第５ＭＯＳトランジスタ（ＭＮ５）からの第４赤色データ信号（Ｒ４）を充電する。第１０データライン（ＤＬ１０）はｉ番目ゲートスキャニング信号（ＧＳＳｉ）のポーリングエッジ（即ち、データ信号のサンプリングポイント）まで第４赤色データ信号（Ｒ４）と同一の電圧レベルをした電圧信号（ＤＬＳ１０）を維持する。画素に供給される色データ信号が前述したようにデータライン（ＤＬ１乃至ＤＬｎ）へのデータ信号引加順序によって異なる絶対電圧値に変化されることによって液晶パネル（１０）に表示される画像が歪曲されるようになる。
【０００７】
共に、従来のＬＣＤ駆動方法ではそれぞれのデータライン（ＤＬ１乃至ＤＬｎ）上にデータ信号の引加順序による漏洩電流が発生する。データライン（ＤＬ１乃至ＤＬｎ）上の互いに異なる漏洩電流はデータ信号の引加順序によって画素のホールディング期間が異なることに起因する。データライン（ＤＬ１乃至ＤＬ１０）上の互いに異なる漏洩電流が第５図に示されたように同一の電圧値を有するデータ信号が画素それぞれで互いに異なる絶対電圧値で変化された状態でサンプリングされる。詳細に説明すると、第１データライン（ＤＬ１）は第１制御信号（ＣＳ１）がハイ状態である期間、第１ディマルチプレクサ（ＤＥＭＵＸ１）の第１ＭＯＳトランジスタ（ＭＮ１）からの第１赤色データ信号（Ｒ１）を充電する。第１データライン（ＤＬ１）はゲートスキャニング信号（ＧＳＳ）のポーリングエッジまで充電された電圧を維持する。第１データライン（ＤＬ１）に充電された電圧は第１制御信号（ＣＳ１）のポーリングエッジからゲートスキャニング信号（ＧＳＳ）のポーリングエッジまで長い期間、漏洩する。その結果、第１データライン（ＤＬ１）は図５に図示されたようにデルタＶ１電圧によって第１赤色データ信号（Ｒ１）より低い第１電圧信号（ＤＬＳ１）を画素に供給する。第４データライン（ＤＬ４）は第４制御信号（ＣＳ４）がハイ状態である期間、第１ディマルチプレクサ（ＤＥＭＵＸ１）の第４ＭＯＳトランジスタ（ＭＮ４）からの第２赤色データ信号（Ｒ２）を充電する。第４データライン（ＤＬ４）はゲートスキャニング信号（ＧＳＳ）のポーリングエッジまで充電された電圧を維持する。第４データライン（ＤＬ４）に充電された電圧は第４制御信号（ＣＳ４）のポーリングエッジからゲートスキャニング信号（ＧＳＳ）のポーリングエッジまで短い期間、漏洩する。その結果、第４データライン（ＤＬ４）は図５に図示されたようにデルタＶ２電圧によって第２赤色データ信号（Ｒ２）より低い第４電圧信号（ＤＬＳ４）を画素に供給する。図５は第４電圧信号（ＤＬＳ４）の電圧レベルが第１電圧信号（ＤＬＳ１）の電圧レベルより高いことを表す。これによって、液晶パネル（１０）に表示される画像は一層歪曲されて画質が劣るようになる。
上述したように、従来のＬＣＤ駆動方法は同一の色データ信号が前述したように互いに異なる電圧レベルで画素それぞれに供給されるために液晶パネルに表示される画像が歪曲される。これによって、従来のＬＣＤ駆動方法は液晶パネル上に表示される画質を落とすものであった。
【０００８】
【発明が解決しようとする課題】
本発明の目的は画像歪曲を防止して画質を向上させることができるＬＣＤ駆動方法を提供することである。
【０００９】
【課題を解決するための手段】
前記目的を達成するために、本発明による液晶表示装置の駆動方法はデータ駆動回路と液晶パネル上のデータラインの間に接続されてデータ駆動回路の出力ラインの中のいずれかの１つからの色データ信号を液晶パネル上の複数個のデータラインに分配する複数個のディマルチプレクサを有する液晶表示装置の駆動方法であって、データ駆動回路で該当ディマルチプレクサに供給される色データ信号を分類してディマルチプレクサによって異なる色信号以前に同一の色データ信号が連続的に供給されるようにする。
【００１０】
【作用】
本発明によるＬＣＤの駆動方法はデータラインに異なる色データ信号が供給される以前及び/または以後に同一の色データ信号が続いて供給されるようにすることで画素に充電された同一の色データ信号の間の差が最小化される。これによって、同一の色データ信号は前述した方法で画素セルに充電されて一定の電圧値に落とせるようになる。結果的に、液晶パネル上に表示される画像にはストライプが現れなくなる。さらに、本発明によるＬＣＤ駆動方法は画像の歪曲を防止して画質を向上させるようになる。
【００１１】
【発明の実施態様】
図６乃至図１２を参照して本発明の好ましい実施例について説明する。
図６は本発明の実施例によるＬＣＤ駆動方法を説明するためにＬＣＤ素子を概念的に図示したものである。図６でＬＣＤ素子はデータＤ−ＩＣチップ（２２）と液晶パネル（１０）上のｎ個のデータライン（ＤＬ１乃至ＤＬｎ）の間に接続された第１乃至第ｋディマルチプレクサ（ＤＥＭＵＸ１乃至ＤＥＭＵＸｋ）を含む。データＤ−ＩＣチップ（２２）は第１乃至第ｋディマルチプレクサ（ＤＥＭＵＸ１乃至ＤＥＭＵＸｋ）に対応するｋ個の出力ラインとを具備する。ｋ個のｋディマルチプレクサ（ＤＥＭＵＸ１乃至ＤＥＭＵＸｋ）それぞれは液晶パネル（２０）上のデータライン（ＤＬ１乃至ＤＬｎ）に接続されて共に第１乃至第５制御信号（ＣＳ１乃至ＣＳ５）の供給を受ける５つの出力ラインとを具備する。
【００１２】
ディマルチプレクサ（ＤＥＭＵＸ１乃至ＤＥＭＵＸｋ）それぞれは５つのＭＯＳトランジスタ（ＭＮ１乃至ＭＮ５）を具備する。第１乃至第５制御信号（ＣＳ１乃至ＣＳ５）は図７に図示されたように１水平同期期間（即ち、１Ｈ）の間、順次ハイロジック状態でイネーブル（enable）される。また、ＬＣＤ素子は液晶パネル（２０）上のｍ個のゲートライン（ＧＬ１乃至ＧＬｍ）を駆動するためのゲートＤ−ＩＣチップ（２４）とを具備する。ゲートＤ−ＩＣチップ（２４）は１水平同期期間、ｍ個のゲートライン（ＧＬ１乃至ＧＬｍ）にゲートスキャニング信号（ＧＳＳ）を順次供給する。ゲートスキャニング信号（ＧＳＳ）は図７に図示されたように１水平同期期間、ハイ状態を維持する。１水平同期期間ｍ個のゲートラインの中のいずれかの１つが駆動される時、データＤ−ＩＣチップ（２２）は第１乃至第５制御信号（ＣＳ１乃至ＣＳ５）に同期してｋ個の色データ信号を含む５つのデータ信号グループをｋ個のディマルチプレクサ（ＤＥＭＵＸ１乃至ＤＥＭＵＸｋ）に順次供給する。
【００１３】
それぞれのディマルチプレクサ（ＤＥＭＵＸ１乃至ＤＥＭＵＸｋ）は第１乃至第５制御信号（ＣＳ１乃至ＣＳ５）に応答してデータＤ−ＩＣチップ（１２）の出力ラインから入力される５つの色信号を５つのデータラインに供給する。この場合、それぞれのディマルチプレクサ（ＤＥＭＵＸ１乃至ＤＥＭＵＸｋ）に供給される５つの色データ信号の順序はデータライン（ＤＬ１乃至ＤＬｎ）の配列順序と異なるようになる。詳細に説明すると、データＤ−ＩＣチップ（２２）は第１赤色データ信号（Ｒ１）、第２赤色データ信号（Ｒ２）、第１緑色データ信号（Ｇ１）、第２緑色データ信号（Ｇ２）、及び第１青色データ信号（Ｂ１）の５つの色データ信号を第１ディマルチプレクサ（ＤＥＭＵＸ１）に供給する。データＤ−ＩＣチップ（２２）は第４赤色データ信号（Ｒ４）、第３赤色データ信号（Ｒ３）、第３緑色データ信号（Ｇ３）、第３青色データ信号（Ｂ３）及び第２青色データ信号（Ｂ２）の順序で５つの色データ信号を第２ディマルチプレクサ（ＤＥＭＵＸ２）に供給する。換言すれば、データＤ−ＩＣチップ（２２）は同一の色データ信号が連続して配列されるようにする。第１ディマルチプレクサ（ＤＥＭＵＸ１）は第１データライン（ＤＬ１）、第４データライン（ＤＬ４）、第５データライン（ＤＬ５）、第２データライン（ＤＬ２）及び第３データライン（ＤＬ３）の順序で第１乃至第５データライン（ＤＬ１乃至ＤＬ５）を選択する。このために、第１ディマルチプレクサ（ＤＥＭＵＸ１）は第１制御信号（ＣＳ１）に第１ＭＯＳトランジスタ（ＭＮ１）が、第４制御信号（ＣＳ４）に第２ＭＯＳトランジスタ（ＭＮ２）が、第５制御信号（ＣＳ５）に第３ＭＯＳトランジスタ（ＭＮ３）が、第２制御信号（ＣＳ２）に第４ＭＯＳトランジスタ（ＭＮ４）が、そして第３制御信号（ＣＳ３）によって第５ＭＯＳトランジスタ（ＭＮ５）が応答するようにする。また、第２ディマルチプレクサ（ＤＥＭＵＸ２）は第１０データライン（ＤＬ１０）、第７データライン（ＤＬ７）、第８データライン（ＤＬ８）、第９データライン（ＤＬ９）及び第６データライン（ＤＬ６）の順序で第６乃至第１０データライン（ＤＬ６乃至ＤＬ１０）を選択する。このために、第２ディマルチプレクサ（ＤＥＭＵＸ２）は第５制御信号（ＣＳ５）に第１ＭＯＳトランジスタ（ＭＮ１）が、第２制御信号（ＣＳ２）に第２ＭＯＳトランジスタ（ＭＮ２）が、第３制御信号（ＣＳ３）に第３ＭＯＳトランジスタ（ＭＮ３）が、第４制御信号（ＣＳ４）に第４ＭＯＳトランジスタ（ＭＮ４）が、そして第１制御信号（ＣＳ１）によって第５ＭＯＳトランジスタ（ＭＮ５）が応答するようにする。このような方法で、第３乃至第ｋディマルチプレクサ（ＤＥＭＵＸ３乃至ＤＥＭＵＸｋ）それぞれに供給される５つの色データ信号はデータラインの配列順序と異なる順序で配列されるようになる。共に、第３乃至第ｋディマルチプレクサ（ＤＥＭＵＸ３乃至ＤＥＭＵＸｋ）それぞれに含まれる第５ＭＯＳトランジスタ（ＭＮ５）はデータライン（ＤＬ１乃至ＤＬｎ）の配列順序と異なる順序で第１乃至第５制御信号（ＣＳ１乃至ＣＳ５）に応答する。
【００１４】
上述したように、同一の色データ信号はデータラインに供給される異なる色データ信号の以後及び/または以前にそれぞれのデータラインに連続して供給されるようになることで画素に充電される同一の色データ信号間の差は最小化される。例えば、データライン（ＤＬ１乃至ＤＬｎ）に赤色、緑色、青色の順序で色データ信号が供給されると、各データラインは緑色、青色データ信号によって隣接したデータラインとカップリングされて充電された電圧が２回影響を受けるようになる。また、緑色データが入力されるデータラインは青色データ信号によって隣接したデータラインとカップリングされて充電された電圧が１回変化する。いずれの場合も、青色データ信号が入力されるデータラインそれぞれは充電された電圧変化が無くなる。それで、同一の色データ信号間の電圧の差は発生しない。同一の色データ信号は画素に充電されて前述した方法で一定の電圧値だけ減少する。これによって、液晶パネル（２０）に表示される画像にはストライプが現れなくなる。つまり、本発明の実施例によるＬＣＤ駆動方法は画像の歪曲を防止して画質を向上させる。
【００１５】
また、本発明の実施例によるＬＣＤ駆動方法はデータライン（ＤＬ１乃至ＤＬｎ）に同一のデータ信号が連続して供給されるので同一のデータ信号の供給を受けるそれぞれのデータライン上で漏洩電流の量が概ね同じようになる。換言すれば、ＬＣＤ駆動方法は殆ど同一の期間に同一の色データ信号がデータライン（ＤＬ１乃至ＤＬｎ）にホールドされる。これによって、同一の電圧値を有する同一の色データ信号が画素それぞれで大体同一の絶対電圧値を有してサンプリングされる。例えば、第１データライン（ＤＬ１）は図８に図示されたように第１制御信号（ＣＳ１）がハイ状態である期間、第１ディマルチプレクサ（ＤＥＭＵＸ１）の第１ＭＯＳトランジスタ（ＭＮ１）からの第１赤色データ信号（Ｒ１）を充電する。第１データライン（ＤＬ１）はゲートスキャニング信号（ＧＳＳ）のポーリングエッジまで充電された電圧を維持する。従って、第１データライン（ＤＬ１）は図８に図示されたようにΔＶ１電圧によって第１赤色データ信号（Ｒ１）より低い第１電圧信号（ＤＬＳ１）を画素に供給する。その間、第４データライン（ＤＬ４）は第２制御信号（ＣＳ２）がハイ状態である期間、第１ディマルチプレクサ（ＤＥＭＵＸ１）の第４ＭＯＳトランジスタ（ＭＮ４）からの第２赤色データ信号（Ｒ２）を充電する。第４データライン（ＤＬ４）は図８に図示されたようにデルタＶ２電圧によって第２赤色データ信号（Ｒ２）より低い第４電圧信号（ＤＬＳ４）を画素に供給する。図７に図示されたように、第４データライン（ＤＬ４）上に第２赤色データ信号（Ｒ２）がホールディングされる期間と殆ど同一である。これによって、第１及び第４データライン（ＤＬ１、ＤＬ４）上で漏洩される電流の差を最小化する。同様に、第１赤色データ信号（Ｒ１）と第１電圧信号（ＤＬＳ１）の偏差と第２赤色データ信号（Ｒ２）と第４電圧信号（ＤＬＳ４）の偏差は殆ど同一である。また、第４データライン（ＤＬ４）上の第４電圧信号（ＤＬＳ４）の電圧値は第１データライン（ＤＬ１）上の第１電圧信号（ＤＬＳ１）と殆ど同一である。従って、第１及び第４データライン（ＤＬ１、ＤＬ４）の画素での明るさの差は最小化される。本発明の実施例によるＬＣＤ駆動方法はディマルチプレクサ（ＤＥＭＵＸ１乃至ＤＥＭＵＸｋ）による漏洩電流の差に起因する画質低下を防止する。
【００１６】
また、ＬＣＤ駆動方法はディマルチプレクサ等を有するドット反転方式のＬＣＤ素子に適用されることができる。この場合、液晶パネル（２０）上のデータラインに供給されるデータ信号の反転を顧慮してディマルチプレクサのディマルチプラッシング順序で決定することが好ましい。図９はそれぞれ５つの出力ラインを有するディマルチプレクサを有してドット反転方式で駆動されるＬＣＤ素子によって適用される本発明によるＬＣＤ駆動方法を表す。図９を参照すると、データＤ−ＩＣチップ（２２）はポジティブ極性の第１赤色データ信号（Ｒ１）、ネガティブ極性の第２赤色データ信号（Ｒ２）、ポジティブ極性の第２緑色データ信号（Ｇ２）、ネガティブ極性の第１緑色データ信号（Ｇ１）、そして、ポジティブ極性の第１青色データ信号（Ｂ１）の順序で第１ディマルチプレクサ（ＤＥＭＵＸ１）に５つの色データ信号を供給する。データＤ−ＩＣチップ（２２）はネガティブ極性の第４赤色データ信号（Ｒ４）、ポジティブ極性の第３赤色データ信号（Ｒ３）、ネガティブ極性の第３緑色データ信号（Ｇ３）、ポジティブ極性の第３青色データ信号（Ｂ３）、そして、ネガティブ極性の第２青色データ信号（Ｂ２）の順序で第２ディマルチプレクサ（ＤＥＭＵＸ２）に５つの色データ信号を供給する。データＤ−ＩＣチップ（２２）は各色に対して同一の色データ信号が連続して配列されるようにしてポジティブ及びネガティブ極性が交番されるようにする。第１ディマルチプレクサ（ＤＥＭＵＸ１）は第１データライン（ＤＬ１）、第４データライン（ＤＬ４）、第５データライン（ＤＬ５）、第２データライン（ＤＬ２）及び第３データライン（ＤＬ３）の順序で第１乃至第５データライン（ＤＬ１乃至ＤＬ５）を選択する。これによって、第１ディマルチプレクサ（ＤＥＭＵＸ１）は第１制御信号（ＣＳ１）に第１ＭＯＳトランジスタ（ＭＮ１）が、第４制御信号（ＣＳ４）に第２ＭＯＳトランジスタ（ＭＮ２）が、第５制御信号（ＣＳ５）に第３ＭＯＳトランジスタ（ＭＮ３）が、第２制御信号（ＣＳ２）に第４ＭＯＳトランジスタ（ＭＮ４）が、そして第３制御信号（ＣＳ３）によって第５ＭＯＳトランジスタ（ＭＮ５）が応答するようにする。また、第２ディマルチプレクサ（ＤＥＭＵＸ２）は第１０データライン（ＤＬ１０）、第７データライン（ＤＬ７）、第８データライン（ＤＬ８）、第９データライン（ＤＬ９）及び第６データライン（ＤＬ６）の順序で第６乃至第１０データライン（ＤＬ６乃至ＤＬ１０）を選択する。これによって、第２ディマルチプレクサ（ＤＥＭＵＸ２）は第５制御信号（ＣＳ５）に第１ＭＯＳトランジスタ（ＭＮ１）が、第２制御信号（ＣＳ２）に第２ＭＯＳトランジスタ（ＭＮ２）が、第３制御信号（ＣＳ３）に第３ＭＯＳトランジスタ（ＭＮ３）が、第４制御信号（ＣＳ４）に第４ＭＯＳトランジスタ（ＭＮ４）が、そして第１制御信号（ＣＳ１）によって第５ＭＯＳトランジスタ（ＭＮ５）が応答するようにする。このような方法で、第３乃至第ｋディマルチプレクサ（ＤＥＭＵＸ３乃至ＤＥＭＵＸｋ）それぞれに供給される５つの色データ信号はデータラインの配列順序と異なる順序で配列されるようになる。
【００１７】
このように本発明の実施例によるＬＣＤ駆動方法は液晶パネル（２０）がドット反転方式で駆動される場合に画像でのストライプ発生を防止することができる。これは図１０に図示されたように同一の色データ信号が供給されるデータラインの上の画素に殆ど同一の絶対値の電圧信号が充電されることに起因する。図１０はｉ及びｉ＋１番目ゲートライン（ＧＬｉ、ＧＬｉ＋１）がスキャニング信号（ＧＳＳｉ、ＧＳＳｉ＋１）によって順次駆動されるとき第２ディマルチプレクサ（ＤＥＭＵＸ２）に接続された第６、７、９、１０データライン（ＤＬ６、ＤＬ７、ＤＬ９、ＤＬ１０）上の電圧波形を図示するものである。図１０で第２及び第３青色データ信号（Ｂ２、Ｂ３）それぞれは同一の絶対電圧値と相反する極性を有する。また、第３及び第４赤色データ信号（Ｒ３、Ｒ４）それぞれも同一の絶対電圧値と相反する電気極性を有する。詳細に説明すると、第１０データライン（ＤＬ１０）は第１制御信号（ＣＳ１）がハイ状態である期間、第２ディマルチプレクサ（ＤＥＭＵＸ２）の第５ＭＯＳトランジスタ（ＭＮ５）からのネガティブ極性の第４赤色データ信号（Ｒ４）を充電する。第１０データライン（ＤＬ１０）は第１制御信号（ＣＳ１）がロー状態になるときフローティング状態にならなければいけない。しかし、第１０データライン（ＤＬ１０）は第４制御信号（ＣＳ４）のライジングエッジで第９データライン（ＤＬ９）上のポジティブ電圧レベルの第３青色データ信号（Ｂ３）によってカップリングキャパシティ（Ｃｃ）を通して隣接したデータライン（ＤＬ９）へ充電された電圧信号（ＤＬＳ１０）を放電する。また、第１０データライン（ＤＬ１０）は図示しない第３制御信号（ＣＳ３）のライジングエッジでポジティブ電圧レベルの第４緑色データ信号（Ｇ４）によってカップリングキャパシティ（Ｃｃ）を通して充電された電圧（ＤＬＳ１０）を第１１データライン（ＤＬ１１）へまた放電する。第１０データライン（ＤＬ１０）はｉ番目ゲートスキャニング信号（ＧＳＳｉ）のポーリングエッジで第４赤色データ信号（Ｒ４）より低い絶対値を有する電圧信号（ＤＬＳ１０）を供給する。一方、第７データライン（ＤＬ７）は第３青色データ信号（Ｂ３）が充電された後２回放電する。詳細に説明すると、第７データライン（ＤＬ７）は第２制御信号（ＣＳ２）がハイ状態である期間、第２ディマルチプレクサ（ＤＥＭＵＸ２）の第２ＭＯＳトランジスタ（ＭＮ２）からのポジティブ極性の第３赤色データ信号（Ｒ３）を充電する。第７データライン（ＤＬ７）は第３制御信号（ＣＳ３）のライジングエッジでネガティブ電圧レベルの第３緑色データ信号（Ｇ３）によってカップリングキャパシティ（Ｃｃ）を通して第８データライン（ＤＬ８）へ充電された電圧信号（ＤＬＳ７）を放電する。また、第７データライン（ＤＬ７）は第５制御信号（ＣＳ５）のライジングネガティブ電圧レベルの第２青色データ信号（Ｂ２）によってカップリングキャパシティ（Ｃｃ）を通して充電された電圧（ＤＬＳ１０）を第６データライン（ＤＬ６）へまた放電する。上述したように、第７データライン（ＤＬ７）は第１０データライン（ＤＬ１０）と同様に放電することでｉ番目スキャニング信号（ＧＳＳｉ）のポーリングエッジ（即ち、データ信号のサンプリング始点）で第１０データライン（ＤＬ１０）上の電圧信号（ＤＬＳ１０）と同一の絶対電圧値を有する。また、第７データライン（ＤＬ７）は充電された電圧信号（ＤＬＳ７）を第１０データライン（ＤＬ１０）に電圧信号（ＤＬＳ１０）がホールドされる期間と概ね同一の期間、ホールドする。従って、第７データライン（ＤＬ７）上の電圧信号（ＤＬＳ７）は第１０データライン（ＤＬ１０）上の電圧信号（ＤＬＳ１０）と殆ど同一となる。この場合、第６データライン（ＤＬ６）は第５制御信号（ＣＳ５）のライジングエッジでネガティブ電圧レベルの第２青色データ信号（Ｂ２）が充電されるので充電された電圧（ＤＬＳ６）を第５及び第７データライン（ＤＬ５、ＤＬ７）へ放電しなくなる。第６データライン（ＤＬ６）はｉ番目スキャニング信号（ＧＳＳｉ）のポーリングエッジで第２青色データ信号（Ｂ２）と同一の絶対値を有する電圧信号（ＤＬＳ６）を供給する。また、第９データライン（ＤＬ９）は第１及び第３制御信号（ＣＳ１、ＣＳ３）より遅くイネーブルされる第4制御信号（ＣＳ４）のライジングエッジで第３青色データ信号（Ｂ３）が充電されるので充電された電圧信号（ＤＬＳ９）を第８または第１０データライン（ＤＬ８、ＤＬ１０）へ放電されなくなる。第９データライン（ＤＬ９）はｉ番目ゲートスキャニング信号（ＧＳＳｉ）のポーリングエッジで第３青色データ信号（Ｂ３）と同一の絶対値を有する電圧信号（ＤＬＳ９）を供給する。従って、第６データライン（ＤＬ６）上の電圧信号（ＤＬＳ６）と第９データライン（ＤＬ９）上の電圧信号（ＤＬＳ９）はローディング期間に若干の差があっても殆ど同一となる。上述したように、同一の色データ信号が前述した方法で殆ど同一の絶対値で画素に供給されることで液晶パネル（２０）に表示される画像にストライプを除去することができる。これによって、本発明の実施例によるＬＣＤ駆動方法では画質が向上される。
【００１８】
次に、図１１はそれぞれ６つの出力ラインを有するディマルチプレクサを有してドット反転方式で駆動されるＬＣＤ素子に適用される本発明のＬＣＤ駆動方法を示す。この場合、データＤ−ＩＣチップ（２２）はポジティブ極性の第１赤色データ信号（Ｒ１）、ネガティブ極性の第２赤色データ信号（Ｒ２）、ポジティブ極性の第２緑色データ信号（Ｇ２）、ネガティブ極性の第１緑色データ信号（Ｇ１）、ポジティブ極性の第１青色データ信号（Ｂ１）、そしてネガティブ極性の第２青色データ信号（Ｂ２）の順序で第１ディマルチプレクサ（ＤＥＭＵＸ１）に６つの色データ信号を供給する。また、データＤ−ＩＣチップ（２２）はネガティブ極性の第４赤色データ信号（Ｒ４）、ポジティブ極性の第３赤色データ信号（Ｒ３）、ネガティブ極性の第３緑色データ信号（Ｇ３）、ポジティブ極性の第４緑色データ信号（Ｇ４）、ネガティブ極性の第４青色データ信号（Ｂ４）、そしてポジティブ極性の第３青色データ信号（Ｂ３）の順序で第２ディマルチプレクサ（ＤＥＭＵＸ２）に６つの色データ信号を供給する。換言すれば、データＤ−ＩＣチップ（２２）は各色に対して同一の色データ信号が連続して配列されるようにしてポジティブ及びネガティブ極性が交番されるようにする。第１ディマルチプレクサ（ＤＥＭＵＸ１）は第１データライン（ＤＬ１）、第４データライン（ＤＬ４）、第５データライン（ＤＬ５）、第２データライン（ＤＬ２）、第３データライン（ＤＬ３）及び第６データライン（ＤＬ６）の順序で第１乃至第６データライン（ＤＬ１乃至ＤＬ６）を選択する。また、第２ディマルチプレクサ（ＤＥＭＵＸ２）は第１０データライン（ＤＬ１０）、第７データライン（ＤＬ７）、第８データライン（ＤＬ８）、第１１データライン（ＤＬ１１）、第１２データライン（ＤＬ１２）及び第９データライン（ＤＬ９）の順序で第７乃至第１２データライン（ＤＬ７乃至ＤＬ１２）を選択する。このような方法で、第３乃至第ｋディマルチプレクサ（ＤＥＭＵＸ３乃至ＤＥＭＵＸｋ）それぞれに供給される６つの色データ信号はデータラインの配列順序と異なる順序で配列されるようになる。本発明の第３実施例によるＬＣＤ駆動方法は同一の色データ信号が前述した方法で殆ど同一の絶対値で画素に供給されるようにすることで液晶パネル（２０）に表示される画像からストライプを除去する。これによって、本発明の第３実施例によるＬＣＤ駆動方法では画質が向上する。
【００１９】
最後に、図１２はそれぞれ４つの出力ラインを有するディマルチプレクサを有するドット反転方式で駆動されるＬＣＤ素子に適用される本発明のＬＣＤ駆動方法を示す。この場合、データＤ−ＩＣチップ（２２）はネガティブ極性の第２赤色データ信号（Ｒ２）、ポジティブ極性の第１赤色データ信号（Ｒ１）、ネガティブ極性の第１緑色データ信号（Ｇ１）、ポジティブ極性の第１青色データ信号（Ｂ１）の順序で第１ディマルチプレクサ（ＤＥＭＵＸ１）に４つの色データ信号を供給する。また、データＤ−ＩＣチップ（２２）はポジティブ極性の第３赤色データ信号（Ｒ３）、ネガティブ極性の第３緑色データ信号（Ｇ３）、ポジティブ極性の第２緑色データ信号（Ｇ２）、ネガティブ第２青色データ信号（Ｂ２）の順序で第２ディマルチプレクサ（ＤＥＭＵＸ２）に４つの色データ信号を供給する。データＤ−ＩＣチップ（２２）はネガティブ極性の第４赤色データ信号（Ｒ４）、ポジティブ極性の第４緑色データ信号（Ｇ４）、ネガティブ極性の第４青色データ信号（Ｂ４）、ポジティブ極性の第３青色データ信号（Ｂ３）の順序で第３ディマルチプレクサ（ＤＥＭＵＸ３）に４つの色データ信号を供給する。また、データＤ−ＩＣチップ（２２）はポジティブ極性の第５赤色データ信号（Ｒ５）、ネガティブ極性の第６赤色データ信号（Ｒ６）、ネガティブ極性の第５緑色データ信号（Ｇ５）、ポジティブ第５青色データ信号（Ｂ５）の順序で第４ディマルチプレクサ（ＤＥＭＵＸ４）に４つの色データ信号を供給する。換言すれば、データＤ−ＩＣチップ（２２）は各色に対して同一の色データ信号が連続して配列されるようにしてポジティブ及びネガティブ極性が交番されるようにする。
【００２０】
しかし、データＤ−ＩＣチップ（２２）は特定のディマルチプレクサ、例えば、第４ディマルチプレクサ（ＤＥＭＵＸ４）に供給される色データ信号は、ポジティブ及びネガティブ極性が交番されなくなる。第１マルチプレクサ（ＤＥＭＵＸ１）は第４データライン（ＤＬ４）、第１データライン（ＤＬ１）、第２データライン（ＤＬ２）、第３データライン（ＤＬ３）の順序で第１乃至第４データライン（ＤＬ１乃至ＤＬ４）を選択する。第２ディマルチプレクサ（ＤＥＭＵＸ２）は第７データライン（ＤＬ７）、第８データライン（ＤＬ８）、第５データライン（ＤＬ５）、第６データライン（ＤＬ６）の順序で第５乃至第８データライン（ＤＬ５乃至ＤＬ８）を選択する。第３ディマルチプレクサ（ＤＥＭＵＸ３）は第１０データライン（ＤＬ１０）、第１１データライン（ＤＬ１１）、第１２データライン（ＤＬ１２）、第９データライン（ＤＬ９）の順序で第９乃至第１２データライン（ＤＬ９乃至ＤＬ１２）を選択する。第４ディマルチプレクサ（ＤＥＭＵＸ４）は第１３データライン（ＤＬ１３）、第１６データライン（ＤＬ１６）、第１４データライン（ＤＬ１４）、第１５データライン（ＤＬ１５）の順序で第１３乃至第１６データライン（ＤＬ１３乃至ＤＬ１６）を選択する。データＤ−ＩＣチップ（２２）から特定のディマルチプレクサに供給される色データ信号の極性が交番的に変化しないために前記ＬＣＤ駆動方法では同一の色データ信号が異なる電圧値で画素に供給されるようになる。これによって、図１２のＬＣＤ駆動方法では液晶パネル（２０）に表示される画像でのストライプを除去することができる。従って、図１２のＬＣＤ駆動方法はそれぞれ４つの出力ラインを有するディマルチプレクサを有するドット反転方式のＬＣＤ素子に適用することができなくなる。同様に、図９乃至図１１はそれぞれ５より大きい奇数個の出力ラインを有するディマルチプレクサを有するドット反転方式のＬＣＤ素子に適用することができるＬＣＤ駆動方法を表す。また、本発明によるＬＣＤ駆動方法はそれぞれ６の整数倍個の出力ラインを有するディマルチプレクサを有するドット反転方式のＬＣＤ素子に適用されることができるようになる。
【００２１】
図１３は本発明によるＬＣＤ駆動方法での駆動されるデータＤ−ＩＣチップの駆動順序を説明する図である。図１３の第１段階（Ｓ１）でデータＤ−ＩＣチップ（２２）はディマルチプレクサ（ＤＥＭＵＸ１乃至ＤＥＭＵＸｋ）に供給されるデータ信号が赤色データ信号引加を判別する。前記第１段階（Ｓ１）でディマルチプレクサ（ＤＥＭＵＸ１乃至ＤＥＭＵＸｋ）に供給されるデータ信号が赤色データ信号である場合第２段階（Ｓ２）でデータＤ−ＩＣチップ（２２）は該当ディマルチプレクサ（ＤＥＭＵＸ１乃至ＤＥＭＵＸｋ）に供給されるデータ信号が赤色データ信号が少なくとも２個であるか否かを判別する。前記段階２で該当ディマルチプレクサ（ＤＥＭＵＸ１乃至ＤＥＭＵＸｋ）に供給されるデータ信号が赤色データ信号の数が少なくとも２個ではない場合（即ち、１個である場合）、第３段階（Ｓ３）でデータＤ−ＩＣチップ（２２）は該当ディマルチプレクサ（ＤＥＭＵＸ１乃至ＤＥＭＵＸｋ）に赤色データ信号を供給する。逆に、前記第２段階（Ｓ２）で該当ディマルチプレクサ（ＤＥＭＵＸ１乃至ＤＥＭＵＸｋ）に供給される赤色データ信号の数が少なくとも２個である場合は、第４段階（Ｓ４）でデータＤ−ＩＣチップ（２２）は少なくとも２個である赤色データ信号をデータ信号の極性が交番的に反転されるように該当ディマルチプレクサ（ＤＥＭＵＸ１乃至ＤＥＭＵＸｋ）に配列する。前記第４段階（Ｓ４）後に、データＤ−ＩＣチップ（２２）は前記第３段階に進行して該当ディマルチプレクサ（ＤＥＭＵＸ１乃至ＤＥＭＵＸｋ）に前記配列された赤色データ信号を供給する。
【００２２】
一方、前記第１段階（Ｓ１）で該当ディマルチプレクサ（ＤＥＭＵＸ１乃至ＤＥＭＵＸｋ）に供給されるデータ信号が赤色データ信号ではない場合段階５でデータＤ−ＩＣチップ（２２）は該当ディマルチプレクサ（ＤＥＭＵＸ１乃至ＤＥＭＵＸｋ）に供給されるデータ信号が緑色データ信号かを判別する。前記段階５で該当ディマルチプレクサ（ＤＥＭＵＸ１乃至ＤＥＭＵＸｋ）に供給されるデータ信号が緑色データ信号である場合第６段階（Ｓ６）でデータＤ−ＩＣチップ（２２）は該当ディマルチプレクサ（ＤＥＭＵＸ１乃至ＤＥＭＵＸｋ）に供給される緑色データ信号の数が少なくとも２個であるか否かを判別する。前記段階６で該当ディマルチプレクサ（ＤＥＭＵＸ１乃至ＤＥＭＵＸｋ）に供給される緑色データ信号の数が２個以上ではない場合（即ち、１個である場合）第７段階（Ｓ７）でデータＤ−ＩＣチップ（２２）は該当ディマルチプレクサ（ＤＥＭＵＸ１乃至ＤＥＭＵＸｋ）に緑色データ信号を供給する。反面に、前記第６段階（Ｓ６）で該当ディマルチプレクサ（ＤＥＭＵＸ１乃至ＤＥＭＵＸｋ）に供給される緑色データ信号の数が少なくとも２個である場合第８段階（Ｓ８）でデータＤ−ＩＣチップ（２２）は少なくとも２個である緑色データ信号をデータ信号の極性が交番的に反転されるように該当ディマルチプレクサ（ＤＥＭＵＸ１乃至ＤＥＭＵＸｋ）に配列する。前記第８段階（Ｓ８）後に、データＤ−ＩＣチップ（２２）は前記第７段階に進行して該当ディマルチプレクサ（ＤＥＭＵＸ１乃至ＤＥＭＵＸｋ）に前記配列された緑色データ信号を供給する。
【００２３】
共に、前記段階５で該当ディマルチプレクサ（ＤＥＭＵＸ１乃至ＤＥＭＵＸｋ）に供給されるデータ信号が緑色データ信号ではない場合段階９でデータＤ−ＩＣチップ（２２）は該当ディマルチプレクサ（ＤＥＭＵＸ１乃至ＤＥＭＵＸｋ）に供給されるデータ信号が青色データ信号かを判別する。前記段階９で該当ディマルチプレクサ（ＤＥＭＵＸ１乃至ＤＥＭＵＸｋ）に供給されるデータ信号が青色データ信号である場合第１０段階（Ｓ１０）でデータＤ−ＩＣチップ（２２）は該当ディマルチプレクサ（ＤＥＭＵＸ１乃至ＤＥＭＵＸｋ）に供給される青色データ信号の数が少なくとも２個であるか否かを判別する。前記段階１０で該当ディマルチプレクサ（ＤＥＭＵＸ１乃至ＤＥＭＵＸｋ）に供給される青色データ信号の数が２個以上ではない場合（即ち、１個である場合）第１１段階（Ｓ１１）でデータＤ−ＩＣチップ（２２）は該当ディマルチプレクサ（ＤＥＭＵＸ１乃至ＤＥＭＵＸｋ）に青色データ信号を供給する。反面に、前記第１０段階（Ｓ１０）で該当ディマルチプレクサ（ＤＥＭＵＸ１乃至ＤＥＭＵＸｋ）に供給される青色データ信号の数が少なくとも２個である場合第１２段階（Ｓ１２）でデータＤ−ＩＣチップ（２２）は少なくとも２個である青色データ信号をデータ信号の極性が交番的に反転されるように該当ディマルチプレクサ（ＤＥＭＵＸ１乃至ＤＥＭＵＸｋ）に配列する。前記第１２段階（Ｓ１２）後に、データＤ−ＩＣチップ（２２）は前記第１１段階に進行して該当ディマルチプレクサ（ＤＥＭＵＸ１乃至ＤＥＭＵＸｋ）に前記配列された青色データ信号を供給する。図１３に図示されたように、データＤ−ＩＣチップ（２２）は該当ディマルチプレクサ（ＤＥＭＵＸ１乃至ＤＥＭＵＸｋ）に供給された異なる色データ信号の以前及び/または以後に該当ディマルチプレクサ（ＤＥＭＵＸ１乃至ＤＥＭＵＸｋ）に同一の色データ信号を供給することで画素に充電される同一の色データ信号間の差が最小化されるようになる。
【００２４】
【発明の効果】
上述したように、本発明によるＬＣＤの駆動方法はデータラインに異なる色データ信号が供給された異なる色データ信号の以前及び/または以後に同一の色データ信号が続いて供給されるようにすることで画素に充電された同一の色データ信号間の差が最小化されるようになる。これによって、同一の色データ信号は前述した方法で画素セルに充電されて一定の電圧値だけ減少する。結果的に、液晶パネル上に表示される画像にはストライプが現れなくなる。また、本発明によるＬＣＤ駆動方法は画像の歪曲を防止して画質を向上させることができる。
【００２５】
以上説明した内容を通して当業者であれば本発明の技術思想を逸脱しない範囲で多様な変更及び修正が可能であることが分かる。従って、本発明の技術的範囲は明細書の詳細な説明に記載された内容に限らず特許請求の範囲により定めなければならない。
【図面の簡単な説明】
【図１】  図１は従来の液晶表示装置の駆動方法で駆動される液晶表示装置を概念的に図示す。
【図２】  図２は図１に図示された液晶表示装置の各部分に供給される信号波形図である。
【図３a,b】  図３Ａは従来の液晶表示装置駆動方法によって駆動されるドットインバージョン方式の液晶表示装置の構成を概念的に図示す。図３Ｂは図３Ａに図示された液晶表示装置の各部分に供給される信号波形図である。
【図４】  図４はｉ番目及びｉ＋１番目ゲートラインがスキャニング信号（ＧＳＳｉ、ＧＳＳｉ＋１）によって順次駆動される場合の、第２ディマルチプレクサ（ＤＥＭＵＸ２）に接続されたデータライン（ＤＬ６、ＤＬ７、ＤＬ９、ＤＬ１０）上の電圧信号波形図である。
【図５】  図５はデータラインが順次駆動される場合液晶パネルのデータライン上の漏洩電流の差を説明するための波形図である。
【図６】  図６は本発明の実施例による液晶表示装置の駆動方法で駆動される液晶表示装置を概念的に図示したものである。
【図７】  図７は図６に図示された液晶表示装置の各部分に供給される信号波形図である。
【図８】    図８は図６に図示された液晶表示パネルのデータライン上の漏洩電流の差を説明するための波形図である。
【図９】  図９は本発明の実施例による液晶表示装置駆動方法によって駆動される５つの出力ラインを有するディマルチプレクサを有するドットインバージョン方式の液晶表示装置を説明するための概念図である。
【図１０】  図１０は図９に図示された液晶表示装置の各部分に供給される信号波形である。
【図１１】   図１１は本発明の実施例による液晶表示装置駆動方法によって駆動される６つの出力ラインを有するディマルチプレクサを有するドットインバージョン方式の液晶表示装置を説明するための概略図である。
【図１２】  図１２は本発明の実施例による液晶表示装置駆動方法によって駆動される４つの出力ラインを有するディマルチプレクサを有するドットインバージョン方式の液晶表示装置を説明するための概略図である。
【図１３】  図１３は本発明による液晶表示装置の駆動方法に駆動されるデータＤ−ＩＣチップの駆動順序を説明する流れ図である。
【符号の説明】
１０、２０・・・液晶パネル
１２、２２・・・データＤ−ＩＣチップ
ＣＳ・・・・・・制御信号
ＭＮ・・・・・・ＭＯＳトランジスタ
ＤＬ・・・・・・データライン
ＤＬＳ・・・・・電圧信号
ＧＳＳ・・・・・スキャニング信号
ＧＳＳｉ・・・・ｉ番目スキャニング信号
Ｃｃ・・・・・・カップリングキャパシティ
ＤＥＭＵＸ・・・ディマルチプレックサ
ＤＥＭＵＸ１乃至ＤＥＭＵＸｋ・・・第１乃至第ｋディマルチプレクサ
ＧＬｉ、ＧＬｉ＋１・・・・・・・・ｉ及びｉ＋１番目ゲートライン
Ｒ・・・・・・・赤色データ信号
Ｇ・・・・・・・緑色データ信号
Ｂ・・・・・・・青色データ信号
Ｓ・・・・・・・段階
【図１】
0004008641.tif 000002
【図２】
0004008641.tif 000003
【図３】
0004008641.tif 000004
0004008641.tif 000005
【図４】
0004008641.tif 000006
【図５】
0004008641.tif 000007
【図６】
0004008641.tif 000008
【図７】
0004008641.tif 000009
【図８】
0004008641.tif 000010
【図９】
0004008641.tif 000011
【図１０】
0004008641.tif 000012
【図１１】
0004008641.tif 000013
【図１２】
0004008641.tif 000014
【図１３】
0004008641.tif 000015